【手続補正書】
【提出日】平成24年6月8日(2012.6.8)
【手続補正１】
【補正対象書類名】特許請求の範囲
【補正対象項目名】全文
【補正方法】変更
【補正の内容】
【特許請求の範囲】
【請求項１】
負の屈折力を有する第１レンズ群と、正の屈折力を有する第２レンズ群と、正の屈折力を有する第３レンズ群の実質的に３個のレンズ群が物体側より像側へ順に配置されて成り、
前記第１レンズ群は、負の屈折力を有するガラス球面レンズと正の屈折力を有し像側の面が非球面に形成された樹脂レンズとから成る単一の複合非球面レンズによって構成され、
以下の条件式（１）乃至条件式（４）を満足するようにされた
ズームレンズ。
（１）ｆ１１／ｆｗ＜−１．８
（２）１．５５＜ｎ１１
（３）５５＜ν１１
（４）Ｇ１ｒ１＜−１６．５
但し、
ｆ１１：第１レンズ群におけるガラス球面レンズの焦点距離
ｆｗ：広角端におけるレンズ全系での焦点距離
ｎ１１：第１レンズ群におけるガラス球面レンズのｄ線における屈折率
ν１１：第１レンズ群におけるガラス球面レンズのｄ線におけるアッベ数
Ｇ１ｒ１：第１レンズ群におけるガラス球面レンズの物体側の面の曲率半径
とする。
【請求項２】
以下の条件式（５）を満足するようにされた
請求項１に記載のズームレンズ。
（５）０．４＜ｄ１２＜０．９
但し、
ｄ１２：第１レンズ群における樹脂レンズの中心厚
とする。
【請求項３】
以下の条件式（６）を満足するようにされた
請求項１に記載のズームレンズ。
（６）ｈｎ＜５
但し、
ｈｎ：第１レンズ群における樹脂レンズの偏肉比
とする。
【請求項４】
以下の条件式（７）及び条件式（８）を満足するようにされた
請求項１に記載のズームレンズ。
（７）ｄ／ｆｗ＜０．３５
（８）ｆ１１／ｆ１２＞−０．５
但し、
ｄ：第１レンズ群の中心厚
ｆ１２：第１レンズ群における樹脂レンズの焦点距離
とする。
【請求項５】
前記第２レンズ群は、物体側に凸面を向け正の屈折力を有する単レンズと、正レンズと負レンズが接合され負の屈折力を有する接合レンズとが物体側より像側へ順に配置されて構成され、
以下の条件式（９）を満足するようにされた
請求項１に記載のズームレンズ。
（９）ｆ２１／ｆ２＜３．５
但し、
ｆ２１：第２レンズ群における正の屈折力を有する単レンズの焦点距離
ｆ２：第２レンズ群の焦点距離
とする。
【請求項６】
前記第１レンズ群におけるガラス球面レンズは物体側の面が物体側に凹面を向けた形状に形成され、
以下の条件式（１０）乃至条件式（１２）を満足するようにされた
請求項１に記載のズームレンズ。
（１０）０．０５＜｜ｓｇ（３ａ）／ｓｇ（３ｓ）｜
（１１）ｎ１２＞１．５
（１２）ν１２＜３０
但し、
ｓｇ（３ａ）：第１レンズ群における複合非球面レンズの最も像側の面の有効径位置での非球面サグ量
ｓｇ（３ｓ）：第１レンズ群における複合非球面レンズの最も像側の面の有効径位置での球面サグ量
ｎ１２：第１レンズ群における樹脂レンズのｄ線における屈折率
ν１２：第１レンズ群における樹脂レンズのｄ線におけるアッベ数
とする。
【請求項７】
ズームレンズと該ズームレンズによって形成された光学像を電気的信号に変換する撮像素子とを備え、
前記ズームレンズは、
負の屈折力を有する第１レンズ群と、正の屈折力を有する第２レンズ群と、正の屈折力を有する第３レンズ群の実質的に３個のレンズ群が物体側より像側へ順に配置されて成り、
前記第１レンズ群は、負の屈折力を有するガラス球面レンズと正の屈折力を有し像側の面が非球面に形成された樹脂レンズとから成る単一の複合非球面レンズによって構成され、
以下の条件式（１）乃至条件式（４）を満足するようにされた
撮像装置。
（１）ｆ１１／ｆｗ＜−１．８
（２）１．５５＜ｎ１１
（３）５５＜ν１１
（４）Ｇ１ｒ１＜−１６．５
但し、
ｆ１１：第１レンズ群におけるガラス球面レンズの焦点距離
ｆｗ：広角端におけるレンズ全系での焦点距離
ｎ１１：第１レンズ群におけるガラス球面レンズのｄ線における屈折率
ν１１：第１レンズ群におけるガラス球面レンズのｄ線におけるアッベ数
Ｇ１ｒ１：第１レンズ群におけるガラス球面レンズの物体側の面の曲率半径
とする。
【手続補正２】
【補正対象書類名】明細書
【補正対象項目名】０００７
【補正方法】変更
【補正の内容】
【０００７】
ズームレンズは、上記した課題を解決するために、負の屈折力を有する第１レンズ群と、正の屈折力を有する第２レンズ群と、正の屈折力を有する第３レンズ群の実質的に３個のレンズ群が物体側より像側へ順に配置されて成り、前記第１レンズ群は、負の屈折力を有するガラス球面レンズと正の屈折力を有し像側の面が非球面に形成された樹脂レンズとから成る単一の複合非球面レンズによって構成され、以下の条件式（１）乃至条件式（４）を満足するようにされている。
（１）ｆ１１／ｆｗ＜−１．８
（２）１．５５＜ｎ１１
（３）５５＜ν１１
（４）Ｇ１ｒ１＜−１６．５
但し、
ｆ１１：第１レンズ群におけるガラス球面レンズの焦点距離
ｆｗ：広角端におけるレンズ全系での焦点距離
ｎ１１：第１レンズ群におけるガラス球面レンズのｄ線における屈折率
ν１１：第１レンズ群におけるガラス球面レンズのｄ線におけるアッベ数
Ｇ１ｒ１：第１レンズ群におけるガラス球面レンズの物体側の面の曲率半径
とする。
【手続補正３】
【補正対象書類名】明細書
【補正対象項目名】００１９
【補正方法】変更
【補正の内容】
【００１９】
撮像装置は、上記した課題を解決するために、ズームレンズと該ズームレンズによって形成された光学像を電気的信号に変換する撮像素子とを備え、前記ズームレンズは、負の屈折力を有する第１レンズ群と、正の屈折力を有する第２レンズ群と、正の屈折力を有する第３レンズ群の実質的に３個のレンズ群が物体側より像側へ順に配置されて成り、前記第１レンズ群は、負の屈折力を有するガラス球面レンズと正の屈折力を有し像側の面が非球面に形成された樹脂レンズとから成る単一の複合非球面レンズによって構成され、以下の条件式（１）乃至条件式（４）を満足するようにされている。
（１）ｆ１１／ｆｗ＜−１．８
（２）１．５５＜ｎ１１
（３）５５＜ν１１
（４）Ｇ１ｒ１＜−１６．５
但し、
ｆ１１：第１レンズ群におけるガラス球面レンズの焦点距離
ｆｗ：広角端におけるレンズ全系での焦点距離
ｎ１１：第１レンズ群におけるガラス球面レンズのｄ線における屈折率
ν１１：第１レンズ群におけるガラス球面レンズのｄ線におけるアッベ数
Ｇ１ｒ１：第１レンズ群におけるガラス球面レンズの物体側の面の曲率半径
とする。
【手続補正４】
【補正対象書類名】明細書
【補正対象項目名】００２１
【補正方法】変更
【補正の内容】
【００２１】
本発明ズームレンズは、負の屈折力を有する第１レンズ群と、正の屈折力を有する第２レンズ群と、正の屈折力を有する第３レンズ群の実質的に３個のレンズ群が物体側より像側へ順に配置されて成り、前記第１レンズ群は、負の屈折力を有するガラス球面レンズと正の屈折力を有し像側の面が非球面に形成された樹脂レンズとから成る単一の複合非球面レンズによって構成され、以下の条件式（１）乃至条件式（４）を満足するようにされている。
（１）ｆ１１／ｆｗ＜−１．８
（２）１．５５＜ｎ１１
（３）５５＜ν１１
（４）Ｇ１ｒ１＜−１６．５
但し、
ｆ１１：第１レンズ群におけるガラス球面レンズの焦点距離
ｆｗ：広角端におけるレンズ全系での焦点距離
ｎ１１：第１レンズ群におけるガラス球面レンズのｄ線における屈折率
ν１１：第１レンズ群におけるガラス球面レンズのｄ線におけるアッベ数
Ｇ１ｒ１：第１レンズ群におけるガラス球面レンズの物体側の面の曲率半径
とする。
【手続補正５】
【補正対象書類名】明細書
【補正対象項目名】００３３
【補正方法】変更
【補正の内容】
【００３３】
本発明撮像装置は、ズームレンズと該ズームレンズによって形成された光学像を電気的信号に変換する撮像素子とを備え、前記ズームレンズは、負の屈折力を有する第１レンズ群と、正の屈折力を有する第２レンズ群と、正の屈折力を有する第３レンズ群の実質的に３個のレンズ群が物体側より像側へ順に配置されて成り、前記第１レンズ群は、負の屈折力を有するガラス球面レンズと正の屈折力を有し像側の面が非球面に形成された樹脂レンズとから成る単一の複合非球面レンズによって構成され、以下の条件式（１）乃至条件式（４）を満足するようにされている。
（１）ｆ１１／ｆｗ＜−１．８
（２）１．５５＜ｎ１１
（３）５５＜ν１１
（４）Ｇ１ｒ１＜−１６．５
但し、
ｆ１１：第１レンズ群におけるガラス球面レンズの焦点距離
ｆｗ：広角端におけるレンズ全系での焦点距離
ｎ１１：第１レンズ群におけるガラス球面レンズのｄ線における屈折率
ν１１：第１レンズ群におけるガラス球面レンズのｄ線におけるアッベ数
Ｇ１ｒ１：第１レンズ群におけるガラス球面レンズの物体側の面の曲率半径
とする。
【手続補正６】
【補正対象書類名】明細書
【補正対象項目名】０２０４
【補正方法】変更
【補正の内容】
【０２０４】
尚、フォーカシングは、例えば、入力部７０のシャッターレリーズボタンが半押しされた場合や記録（撮影）のために全押しされた場合等に、ＣＰＵ６０からの制御信号に基づいてレンズ駆動制御部８０がズームレンズ１１の所定のレンズを移動させることにより行われる。